(57)【要約】【課題】  暖房部材を施工する暖房二重床構造とそれに隣接する通常の非暖房二重床構造との間で、二重床パネルの厚さを同様のものとし、二重床パネルの下面での床支持脚の効率的な施工を可能にする。【解決手段】  暖房二重床構造１を提供する。暖房二重床構造１は、床基盤２と床基盤２上の床支持脚３と床支持脚３上の床下地材４と床下地材４上の暖房部材５と暖房部材５上の床仕上げ材６とを備えており、暖房部材５によって温められる。暖房二重床構造１では、暖房部材５は暖房部材５の下の支持部材７によって支えられており、支持部材７は、ゴム及びエラストマーからなる群より選ばれる少なくとも１種の材料の架橋成形体からなり、６０〜８０の硬度及び１５〜２５ｋｇ／ｍ２の面密度を有している。【選択図】図１
2005299170.tif 000002
【特許請求の範囲】
【請求項１】
床基盤と前記床基盤上の床支持脚と前記床支持脚上の床下地材と前記床下地材上の暖房部材と前記暖房部材上の床仕上げ材とを備えており、前記暖房部材によって温められる暖房二重床構造であって、
前記暖房部材が前記暖房部材の下の支持部材によって支えられており、前記支持部材が、ゴム及びエラストマーからなる群より選ばれる少なくとも１種の材料の架橋成形体からなり、前記支持部材が６０〜８０の硬度及び１５〜２５ｋｇ／ｍ２の面密度を有していることを特徴とする暖房二重床構造。
【請求項２】
前記支持部材が１．８〜２．７の比重を有していることを特徴とする請求項１記載の暖房二重床構造。
【請求項３】
前記暖房部材が温水シートからなり、前記温水シートが、温水を循環させる配管と、前記配管の上側の平坦な放熱層と、前記配管を収容する凹部を有する前記配管の下側の樹脂層とからなる請求項１又は２記載の暖房二重床構造。
【請求項４】
前記支持部材が前記配管を収容する凹部を有している請求項１〜３のいずれか一項記載の暖房二重床構造。
【請求項５】
前記暖房二重床構造が前記暖房部材を有しない非暖房二重床構造と隣接しており、前記暖房二重床構造と前記非暖房二重床構造とで、前記床下地材の下面のレベル及び前記床仕上げ材の上面のレベルが同じである請求項１〜４のいずれか一項記載の暖房二重床構造。
【発明の詳細な説明】
【技術分野】
【０００１】
本発明は、床基盤と前記床基盤上の床支持脚と前記床支持脚上の床下地材と前記床下地材上の暖房部材と前記暖房部材上の床仕上げ材とを備えており、前記暖房部材によって温められる暖房二重床構造に関し、更に詳しくは、本発明は、非暖房二重床構造との間で自在な高さ調整が可能な暖房二重床構造に関する。
【背景技術】
【０００２】
集合住宅等の一般住宅の床暖房には、ガス、灯油、電気等を熱源とする温水循環式床暖房マットが用いられている。
【０００３】
かかる床暖房用温水マットでは、発泡ポリエチレン又はポリスチレン等の断熱材を配管ガイド基材とし、かかる配管ガイド基材に温水循環用の架橋ポリエチレンパイプを配し、かかる配管中に温水を循環させて床仕上げ材の加温を行い、床暖房システムとしている。
【０００４】
例えば、図５の断面図に示される１例の従来の床暖房用温水マットがある。温水マット２０１は１２ｍｍの厚みで、表層部に１００μｍのアルミニウムシート２０２を放熱部材とし、その下部に温水が循環するオレフィン系樹脂パイプ２０３を７５ｍｍ間隔で配し、パイプ２０３の断熱材として１０〜２０倍発泡のポリスチレン系発泡体２０４を用い、発泡体２０４は温水パイプ２０３を配するための凹部２０５を有する。さらには、仕上げ材の固定を考慮して３０３ｍｍピッチで小根太２０６と称される４５ｍｍ幅の合板が配される。この構成において、発泡体は、断熱性のみを考慮されており、遮音性についての配慮はまったくなされていない。  
【０００５】
かかる床暖房システムを二重床の下地材上に配する場合、床基盤への床衝撃音の影響を考慮する必要が生じることがある。その際、パーチクルボード等を床下地材とし、捨て貼り合板をその直上に配し、その上へ６ｍｍ及び８ｍｍのいずれかの厚さのアスファルト系の遮音シートを敷設し、更に、かかる遮音シートの上に、９〜１２ｍｍの厚さの捨て貼り合板を敷設し、床暖房システムを配し、更に床仕上げ材を配した構成として、床衝撃音レベルの低減を図るのが通常である。
【０００６】
かかるアスファルト系遮音シートは、軟化点が８０℃前後であり、作動時の床暖房用温水マットに直接接触すると、上限の８０℃に達し、軟化劣化が生じ、遮音シートの厚さ（つまり、床材の平坦性）の確保が困難になり、また、軟化劣化による床暖房用温水マットの接触汚染や、ひいては架橋ポリエチレンパイプの接触汚染を生じさせる。このため、かかる障害を排除する目的で、通常、９〜１２ｍｍの厚さの捨て貼り合板が敷設されている。
【０００７】
例えば、図６の断面図に示す１例の従来の床暖房構造がある。温水マット２１１は遮音性を付与する目的で、通常、アスファルト系高比重遮音材２１７を敷設するが、この場合アスファルト系遮音材２１７は耐熱性についてまったく考慮されておらず、床暖房を稼動させる際、最大８０℃の温度上昇を生じ、アスファルト系遮音材２１７は加熱されると溶融する性質を持つものであり、その融点は８０℃付近にある。よって、アスファルト系遮音材２１７がマット２１１の直下に敷設された場合、床暖房の加熱により遮音材２１７が溶融し、発泡体２１４への接触汚染を生じさせ、更にはパイプ２１３に溶融した遮音材が浸透してしまい、パイプ２１３の劣化を招く虞がある。それを防ぐ方法として、遮音材２１７を敷設し、マット２１１を敷設する際には、上記の要因を排除する目的で、通常、１２ｍｍの合板２１８を遮音材２１７とマット２１１との間に介在させ、遮音性と床暖房の安全性とを確保している。なお、図６中、アルミニウムシート２１２、発泡体２１４、凹部２１５、小根太２１６等は、図５中のものと同様である。
【０００８】
かかる従来技術についての特許文献等を調査したが、本出願人の知る限り、かかる従来技術は文献公知発明ではないと思われた。したがって、記載すべき先行技術文献情報がない。
【発明の開示】
【発明が解決しようとする課題】
【０００９】
しかしながら、捨て貼り合板を敷設することにより、床暖房用温水マット（通常、１２ｍｍの厚みが一般仕様となっている。）と遮音シートの積層によって、床下地材よりも上の床材の総厚みは３７〜４４ｍｍ、すなわち、遮音シート（４〜８ｍｍ）＋捨て貼り合板（９〜１２ｍｍ）＋温水マット（１２ｍｍ）＋床暖用フローリング（１２ｍｍ）になり、床高さの上昇を余儀なくされる。
【００１０】
遮音シートによる床高さの上昇は、床暖房敷設箇所以外の居室において一般的に使用されるものである。よって、床暖房用温水マット部分と捨て貼り合板部分の厚み、１２ｍｍ＋９〜１２ｍｍ＝２１〜２４ｍｍの床高さの上昇があり、住戸として求められるバリアフリーの条件は十分に満たせていないのが現状である。
【００１１】
ただし、二重床構造の場合、その構成上、二重床の床パネルを支える床支持脚の高さは調整が可能である。つまり、暖房二重床構造部の床下地材の下面のレベルを非暖房二重床構造部のものより低く調整し、床暖房用温水マットや捨て貼り材による床仕上げ高さの上昇分の吸収を行い、バリアフリー化を行うことができる。
【００１２】
しかし、バリアフリー化は行えるが、床下地材の下面の高さは非床暖房部と床暖房部とでは異なり、床下地材の下面の高さを調整するのに掛かる施工工数が増加する。また、床下地材を支える床支持脚の高さを、異なる長さの支持ボルトによって調整せざるを得ないため、部品点数の増加を招き、コストアップとなる。さらに、このような施工上の問題から、床暖房部での確実なバリアフリー化が行なわれ難いという大きな問題がある。
【００１３】
また、本発明者は、従来のような床暖房温水マットについては、断熱特性のある材料は用いるものの、この材料は十分な遮音性を発揮させるのに妨げになることを見出した。
【００１４】
本発明の課題は、暖房部材を施工する暖房二重床構造とそれに隣接する通常の非暖房二重床構造との間で、二重床パネルの厚さを同様のものとし、二重床パネルの下面での床支持脚の効率的な施工を可能にすることである。
【課題を解決するための手段】
【００１５】
本発明は、床基盤と前記床基盤上の床支持脚と前記床支持脚上の床下地材と前記床下地材上の暖房部材と前記暖房部材上の床仕上げ材とを備えており、前記暖房部材によって温められる暖房二重床構造であって、前記暖房部材が前記暖房部材の下の支持部材によって支えられており、前記支持部材が、ゴム及びエラストマーからなる群より選ばれる少なくとも１種の材料の架橋成形体からなり、前記支持部材が６０〜８０の硬度及び１５〜２５ｋｇ／ｍ２の面密度を有していることを特徴とする暖房二重床構造に係るものである。
【００１６】
本発明は、本発明者の鋭意検討の結果から得られたもので、所定の材料からなる暖房部材用の支持部材が、耐熱性に優れると共に遮音性に優れ、二重床の床パネル厚を増すことなく、床衝撃音レベルの低減を安定して発揮するという知見に基づく。
【００１７】
すなわち、本発明では、暖房部材を支持する支持部材を、ゴム及びエラストマーからなる群より選ばれる少なくとも１種の材料からなる架橋成形体とし、６０〜８０の硬度（ＪＩＳ−Ａゴム硬度計の測定による。以下同じ。）及び１５〜２５ｋｇ／ｍ２の面密度を有するようにしたものである。
【００１８】
かかる支持部材は、温水等による加熱によっても、アスファルト系遮音シートのような長期の裁荷重に対するへたりを生じることがなく、安定した床衝撃音レベルの抑制を確保することができる。
【００１９】
本発明にかかる支持部材は、加熱機能と共に遮音機能をも安定して担うことができるので、床パネルの厚さの増加を抑制することができるのみならず、床衝撃音レベルの低減に非常に有効であり、住戸に求められる理想的なバリアフリーの環境を十分に満たすことができるという画期的なものである。
【発明の効果】
【００２０】
本発明によれば、暖房二重床構造の二重床パネルの厚さ増加が抑えられるので、暖房部材を施工しない通常の非暖房二重床構造と同様な床支持脚の使用が可能となり、極めて安定したバリアフリーの暖房二重床構造の効率的な施工が可能となる。
【発明を実施するための最良の形態】
【００２１】
本発明の実施をする形態について説明する。
暖房二重床構造は、床基盤と床基盤上の床支持脚と床支持脚上の床下地材と床下地材上の暖房部材と暖房部材上の床仕上げ材とを備える。
【００２２】
（１）床基盤
通常の二重床構造に用いられるものでよい。材質、形状、構造等、特に制限はなく、代表的には、コンクリート等からなる床スラブである。
【００２３】
（２）床下地材及び床仕上げ材
通常の二重床構造に用いられるものでよい。材質、形状、構造等、特に制限はなく、種々のものを用いることができる。
【００２４】
（３）暖房部材
二重床構造を温める加熱体からなる。材質、形状、構造等、特に制限はなく、種々のものを用いることができる。代表的には、熱線等の加熱体、又は適切な液体及び気体等からなる群より選ばれる少なくとも１種の加熱媒体でよく、かかる加熱媒体は、代表的に、温水である。
【００２５】
加熱媒体は、適切な循環用の配管を用いて還流させるのが好ましい。配管としては、加熱媒体に対する耐久性を考慮する必要がある。例えば、加熱媒体として温水を用いる場合、加熱媒体用配管として、架橋された樹脂成型パイプ、特に、架橋ポリエチレン製パイプを用いることができる。
【００２６】
（３−１）温水シート
暖房部材は温水シートからなることができる。温水シートは、温水を循環させる配管と、配管の上側の平坦な放熱層と、配管を収容する凹部を有する配管の下側の樹脂層とからなることができる。
【００２７】
（３−２）放熱層
加熱体と床仕上げ材等との間に介在し、加熱体からの放熱を促進する。かかる放熱層は、材質、形状、構造等、特に制限はなく、種々の材料からなることができる。例えば、アルミニウム等からなる金属箔からなる。
【００２８】
（３−３）樹脂層
加熱体と支持部材との間に介在し、支持部材による加熱体の接触汚染を防ぎ、加熱体を保護するシートとしての役割を担う。かかる樹脂層は、材質、形状、構造等、特に制限はなく、加熱体に、架橋ゴム等の支持部材による接触汚染が生じないようにできればよい。樹脂層はオレフィン系エラストマーからなるのが好適である。オレフィン系エラストマーとしては、ポリエチレン製樹脂又はポリプロピレン製樹脂が好適である。
【００２９】
（３−４）温水シートの製造
アルミ泊等の放熱層と凹部を有する樹脂層との間で、凹部に架橋された樹脂成型パイプを配し、樹脂成型パイプをサンドイッチする構成として、温水シートは形成される。放熱層と樹脂層は、その中に配する樹脂パイプを定位に保持するため、樹脂パイプを配する凹部を除いた部位で接着剤又は粘着剤等により固着することができる。
【００３０】
このサンドイッチ構造となる温水シートの樹脂層は、プレス成形、真空成型等で支持部材の凹部に合わせて凹部を成型して得ることができる。樹脂層はなるべく薄くするのが好ましい。好ましくは、床暖房部の厚さを必要最小限とするために、温水シートの厚みは成型可能な０．２ｍｍ〜０．５ｍｍとする。
【００３１】
（４）支持部材
暖房部材を下から支えるための部材である。かかる支持部材は、加熱体に対する耐熱性及び後述するような遮音性を有するのがよく、材質、形状、構造等、特に制限はなく、種々のものでよい。特に、支持部材は、ゴム及びエラストマーからなる群より選ばれる少なくとも１種の材料の架橋成形体からなる。
【００３２】
かかる架橋成形体は、天然ゴム及び合成ゴムからなる群より選ばれる少なくとも１種のゴムを主成分として、補強材、充填材、可塑剤、軟化剤、老化防止剤、粘着剤、加工助剤、着色剤、架橋剤、架橋助剤等を配合してなるゴム組成物であるか、又はエラストマー組成物を、通常のロール混練り、バンバリーミキサー、インターナルミキサー、加圧ニーダー等による混練作業により混合し、二本ロール又はカレンダーロール、ローラーヘッダー、押出機等によりシート状に圧延し一定厚さを有する形状とする。
【００３３】
かかる支持部材は、単層のシートであるか、又は複数のシートを積層一体化した複合層系のシートでよい。好ましくは、かかる支持部材は、複数のシートを積層一体化した複合層系のシートである。かかる製造方法により得られた一体複合層系支持部材は、床衝撃音レベルの改善効果をより一層高めることができる。
【００３４】
支持部材は、プライマー処理、フレーム処理、紫外線処理、コロナ放電処理等を施して、床下地材、暖房部材等との接着性を向上させることができる。
【００３５】
支持部材は、加熱体を収容する凹部を有することができる。かかる凹部は加熱媒体用配管を収容するのが好ましい。さらに、好ましくは、かかる凹部は、加熱媒体用配管を所定のパターンで配列させる配管ガイド部である。かかる支持部材は、プレス成型加工、射出成型加工、熱空気成型加工等の成型加工設備を用いて得ることができる。
【００３６】
かかる支持部材は、加熱体によって温められ、それにより、床下地材及び床仕上げ材を効率的に加熱することができ、床暖房システムにおいて加熱機能を担うことができる。
【００３７】
支持部材の厚さは、一般住戸の非床暖房部分で使用されるアスファルト系遮音材の厚み（４〜８ｍｍ）を考慮した場合、住戸のバリアフリー化及び二重床構造の施工性のためには、暖房部材の厚さを加えた厚さを、アスファルト系遮音材の厚さの少なくとも±１ｍｍの範囲内とするのが好ましい。
【００３８】
（４−１）面密度
支持部材は１５〜２５ｋｇ／ｍ２の面密度、好ましくは、１８〜２２ｋｇ／ｍ２の面密度を有する。かかる範囲内の面密度を有する支持部材は、遮音材としても十分に機能する。１５ｋｇ／ｍ２未満では、床衝撃音レベルの改善効果が著しく低くなる。２５ｋｇ／ｍ２を超えると、ゴム等の配合材料中の高比重の充填材料の比率が大きくなり、耐熱性に劣り、使用できなくなることがある。なお、ここで、面密度とは、単位面積あたりの重量をいい、つまり、（比重イタ×厚さ×長さ×幅）＝面密度となる。例えば、比重２．０、厚さ９ｍｍ、長さ１０００ｍｍ、幅１０００ｍｍであれば、面密度は、２．０×．９ｃｍ×１００ｃｍ×１００ｃｍ／１０００＝１８ｋｇ／ｍ２となる。
【００３９】
（４−２）比重
支持部材は、好ましくは１．８〜２．７の比重、更に好ましくは２．０〜２．５の比重を有する。１．８未満の比重では、床衝撃音の低減効果が認められ難い。２．７を超える比重では、床暖房用としては耐熱性に劣り、使用困難になる。
【００４０】
（４−３）ゴム硬度
支持部材は、６０〜８０の硬度、好ましくは６５〜７５の硬度を有する。硬度が８０より高いと、その硬度の高さのため、軽量床衝撃音レベルにおいて高音域の低減効果の悪化を招くことがある。硬度が６０より低いと、剛性不足のため、重量床衝撃音レベルにおいて、低減効果の悪化を招くことがある。支持部材の硬度が６０〜８０の範囲にある場合、重量及び軽量床衝撃音レベルの低減について、バランスよく有効にその効力を発揮する。
【００４１】
本発明にかかる支持部材の材質及び物性は、床衝撃音レベル低減効果が最も有効な８ｍｍの厚さのアスファルト系遮音材をターゲットとして、暖房二重床構造の構成を鋭意検討した結果開発するに至ったものである。
【００４２】
（５）床支持脚
床基盤上において、上述の床下地材、支持部材、暖房部材及び床仕上げ材等からなる二重床の床パネルを下から支えるものである。
【００４３】
床支持脚は、代表的には、床基盤に接するゴム台とゴム台上の支持棒と支持棒上の板状材とからなる。床支持脚は複数用いられ、各板状材は二重床パネルを所定の高さで支える働きをする。
【００４４】
支持棒はボルトからなることができ、板状材は支持ボルトと螺合するナットを有することができる。板状材は床下地材等に埋め込まれていてもよい。
【００４５】
（６）暖房二重床構造
上述のように、床下地材、支持部材、暖房部材及び床仕上げ材等からなる暖房用の二重床パネルを用いれば、二重床パネルの厚さを、暖房部材を有しない非暖房二重床構造の二重床パネルのものと同じにすることができる。
【００４６】
かかる暖房用の二重床パネルは、隣接される非暖房二重床構造との間で、二重床パネルの上面、例えば、床仕上げ材の上面のレベルを同じにすることができ、段差を生ずることがなくなり、更に、二重床パネルの下面、例えば、床下地材の下面のレベルを同じにすることができる。
【００４７】
これによって、暖房用の二重床パネルと通常の二重床パネルとを同様の床支持脚を用いて同様に施工することができ、床下地材レベルの調整を行う必要は全くなくなる。
【００４８】
したがって、本発明の暖房二重床構造によれば、非暖房二重床構造が隣接された構造体において、二重床パネルの厚さや床支持脚の違いよる防音性能の不均質性が抑えられると共に、より一層確実なバリアフリー化が極めて効率的に達成される。
【００４９】
図面を参照して、本発明をより一層詳細に説明する。
図１は本発明の１例の暖房二重床構造を示す断面図である。図２は本発明の他の例の暖房二重床構造の断面図である。図３は本発明にかかる１例の温水シートの構成を部分的に示す斜視図である。図４は温水シートと支持部材とを組み合わせた状態を示す斜視図である。
【００５０】
図１の右側部分に示すように、本発明の１例の暖房二重床構造１は、床基盤２と床基盤２上の床支持脚３と床支持脚３上の床下地材４と床下地材４上の暖房部材５と暖房部材５上の床仕上げ材６とを備え、暖房二重床構造１は暖房部材５によって温められる。
【００５１】
暖房二重床構造１では、暖房部材５はその下の支持部材７によって支えられており、支持部材７はゴム及びエラストマーからなる群より選ばれる少なくとも１種の材料の架橋成形体からなる。支持部材７は６０〜８０の硬度及び１５〜２５ｋｇ／ｍ２の面密度を有している。
【００５２】
図２の右側部分には、本発明の他の例の暖房二重床構造１１を示す。
暖房二重床構造１１は、図１の暖房二重床構造１とは、主として床支持脚の種類及び配置が異なる。床基盤１２、床下地材１４、暖房部材１５、床仕上げ材１６及び支持部材１７は、図１のものと同様のものである。
【００５３】
暖房二重床構造１においては、床支持脚３が床下地材４の継ぎ目４Ａを支持しているのに対し、暖房二重床構造１１においては、床支持脚１３は床下地材１４を継ぎ目１４Ａの近傍で支持しており、床支持脚１３は支持ボルト１３Ａが最下層床下地材１４Ｂに埋め込まれたナット１３Ｄに固定されている点が異なる。
【００５４】
図１及び２において、暖房部材５，１５は、図３に詳細に示すものからなることができる。
図３に示すような暖房部材２５は、配管２５Ａを下層の樹脂層２５Ｂと上層の放熱層２５Ｃとで挟み込むサンドイッチ構造の温水シートである。配管２５Ａの下側に、樹脂層２５Ｂ（例えば、架橋樹脂からなる０．３ｍｍの厚さの層）を配し、樹脂層２５Ｂの凹部２５Ｄに、配管２５Ａを収容する。樹脂層２５Ｂの表面には、放熱層２５Ｃ（例えば、アルミ泊等の金属箔からなる０．３ｍｍの厚さの層）を配する。配管２５Ａは、温水が循環する樹脂成形パイプ（外径７．０ｍｍ）を用いることができる。
【００５５】
図１及び２において、支持部材７，１７は、図４に詳細に示すものからなることができる。
図４に示すような支持部材２７は、図３に示すように形成された暖房部材２５を上部に配し、暖房部材２５の樹脂層２５Ｂの配管２５Ａによる凸部を敷設できる凹部２７Ａを有する。支持部材２７は、所定の遮音性ゴム組成物をプレス成形、真空成型等で架橋成型して得ることができる。
【００５６】
図３に示すような暖房部材２５と支持部材２７とは、図４に詳細に示すように組み合わせて用いることができる。    
【００５７】
本発明者は、十分な床衝撃音レベルの緩衝及び低減効果を発揮すると共に、床暖房機能をも併せ持ち、更に一般住戸で床暖房部分と非床暖房部分の遮音設計を考慮する場合においても、床暖房部分と非床暖房部分に発生する段差等を生じることなく、バリアフリーの床仕上げを行うことができるという画期的な暖房二重床構造を開発するに至った。
【実施例】
【００５８】
以下、図面を参照しつつ、実施例を挙げ、本発明のより一層詳細な説明を行う。
（実施例１）
図１に示すような暖房二重床構造を施工する。
図１では、右側の本発明による暖房二重床構造１と左側の非暖房二重床構造１０１とが、並列してなる二重床構造の断面構成図を示す。
【００５９】
まず、非床暖房部の二重床構成を説明する。
スラブからなる床基盤２の表面に、防音用の床支持脚３を配置する。床支持脚３は、鋼製の支持ボルトからなる支持棒３Ａとゴム台３Ｂと板状体３Ｃとからなり、支持ボルトを鋼製受けナット３Ｄに螺合させて、床下地材４の床下支持高さを調整する。板状体３Ｃは厚さ１５ｍｍ×９８ｍｍ角の普通合板からなり、ナット３Ｄが打ち込まれている。このようにして、二重床の支持ブロックを形成する。
【００６０】
複数の支持ブロックを用いて、下地部材としてのパーチクルボードの連結固定を行う。この支持ブロックの合板部に、床下地材となる厚さ２０ｍｍのベースパネルであるパーチクルボード４Ｂを配し、その上に厚さ１２ｍｍの捨て張り合板４Ｃを敷設し、更に厚さ８ｍｍのアスファルト系高比重遮音材１０９を敷設する。床仕上げ材６に厚さ１２ｍｍの突き板張り化粧合板を配し、非床暖房部の二重床を構成する。
【００６１】
暖房二重床構造１の部分では、パーチクルボード４Ｂと捨て張り合板４Ｃを非床暖房部との共通床下地とし、アスファルト系遮音材１０９の隣接部に、図５に示すような暖房部材５と支持部材７とを合計厚さ９ｍｍで、アスファルト系遮音材１０９と並列させて敷設する。
【００６２】
床暖房部分では、非床暖房部と共通の仕上げ材６を非床暖房部と重なるように並列して配置することができる。床暖房部と非床暖房部の段差のないバリアフリーとなる二重床構造を極めて効率的に形成することができる。
【００６３】
（実施例２）
図２に示すような暖房二重床構造１１を施工する。
図２は、右側の暖房二重床構造１１と左側の非暖房二重床構造１１１とを並列して有する二重床構造を示し、最も下の床下地材が独立してなるテーブルタイプである。
【００６４】
まず、非床暖房部の二重床構成として、床基盤１２の上に、防音用の床支持脚１３を配する。床支持脚１３は、鋼製の支持ボルトからなる支持棒１３Ａ、ゴム台１３Ｂ及び鋼製のナット１３Ｃからなり、支持ボルトと鋼製ナットとを螺合させることにより床下支持高さを調整する。ナット１３Ｃは、床下地材１４となる厚さ２０ｍｍのベースパネルであるパーチクルボード１４Ｂに打設してあり、パーチクルボード１４Ｂが床下地材の最下層を形成する。
【００６５】
床下地材１４Ｂはおのおのは独立したものであるが、その直上にくる捨て張り部材１４Ｃにて床下地材１４が連結固定される。
【００６６】
厚さ１２ｍｍの捨て張り部材である普通合板１４Ｃを敷設し、更に厚さ８ｍｍのアスファルト系遮音材１１９を敷設する。床仕上げ材１６に厚さ１２ｍｍの突き板張り化粧合板を配し、非床暖房部の二重床を構成する。
【００６７】
床暖房部としては、パーチクルボード４Ｂと捨て張り合板１４Ｃから下層部を非床暖房部との共通床下地として、アスファルト系遮音材１１９の隣接部に、図５に示すような暖房部材１５と支持部材１７とを、アスファルト系遮音材１１９と並列して敷設する。
【００６８】
床暖房部分では、非床暖房部と共通の仕上げ材１６を非床暖房部と重なるように並列して配することができる。床暖房部と非床暖房部の段差のないバリアフリーとなる二重床構造を極めて効率的に形成することができる。
【００６９】
以上説明した実施例１〜２の二重床構造について評価する。
本発明における床暖房を有する二重床構造では、床仕上げ高さを１２２ｍｍとした場合、実施例１の非床暖房部の床高さ１２１ｍｍとほぼ一致し、床暖房部分と非床暖房部分の床仕上げのバリアフリー化を容易に行うことができる。
【産業上の利用可能性】
【００７０】
以上述べたように、本発明の暖房二重床構造は、一般住戸の二階以上の階上に床暖房を敷設し、更に遮音性能を付与させるものとして支持部材が用いられるので、従来の遮音材又は床暖房パネル保護のための捨て貼り材等の床材、二重床の床高さを調整するような付帯工事を必要とせず、非床暖房部分と床暖房部分の床高さを同じにし、更に床仕上げ高さも同一レベルとすることができ、容易に二重床のバリアフリー化が図れ、床衝撃音レベルの低減効果を発揮できる画期的な発明である。
【図面の簡単な説明】
【００７１】
【図１】本発明の１例の暖房二重床構造を示す断面図である。
【図２】本発明の他の例の暖房二重床構造の断面図である。
【図３】本発明にかかる１例の温水シートの構成を部分的に示す斜視図である。
【図４】温水シートと支持部材とを組み合わせた状態を示す斜視図である。
【図５】従来の１例の温水シートを示す断面図である。
【図６】従来の１例の床暖房構造を示す断面図である。
【符号の説明】
【００７２】
１，１１  暖房二重床構造
２，１２  床基盤
３，１３  床支持脚
３Ａ，１３Ａ  支持ボルト
３Ｂ，１３Ｂ  ゴム台
３Ｃ  板状体
３Ｄ，１３Ｄ  ナット
４，１４  床下地材
４Ａ，１４Ａ  継ぎ目
５，１５，２５  暖房部材
６，１６  床仕上げ材
７，１７、２７  支持部材
１４Ｂ  最下層床下地材
２５Ａ  配管
２５Ｂ  樹脂層
２５Ｃ  放熱層
２７Ａ  凹部
【図１】
2005299170.tif 000003
【図２】
2005299170.tif 000004
【図３】
2005299170.tif 000005
【図４】
2005299170.tif 000006
【図５】
2005299170.tif 000007
【図６】
2005299170.tif 000008